【手続補正書】
【提出日】平成19年11月20日(2007.11.20)
【手続補正１】
【補正対象書類名】明細書
【補正対象項目名】特許請求の範囲
【補正方法】変更
【補正の内容】
【特許請求の範囲】
【請求項１】  呼の強制デフォルトルーティングを行う方法であって、
被呼者番号に従ってダイヤルされた加入者に宛てられた呼に関連付けられた初期アドレスメッセージを受信するステップと、
初期アドレスメッセージ内の転送呼インジケータビットを識別するステップと、
ローカル番号移植性の照会が初期アドレスメッセージに対して行われていないことを示す第１の状態に、転送呼インジケータビットがあるかどうかを決定するステップと、
転送呼インジケータビットが第１の状態にあることに応答して、データベース問合せ機能を活動化するかどうかを決定するステップと、
データベース問合せ機能が活動化されていないことに応答して、転送呼インジケータビットを第２の状態に置くステップと、
ローカル番号移植性の照会を行うことなく、被呼者番号に従って呼を引き続き処理するために初期アドレスメッセージを送信するステップとを含む、呼の強制デフォルトルーティングを行う方法。
【請求項２】  転送呼インジケータビットが第１の状態にないことに応答して、呼を引き続き処理するために初期アドレスメッセージを送信するステップをさらに含む、請求項１に記載の方法。
【請求項３】  データベース問合せ機能が活動化されていることに応答して、被呼者番号を用いて、データベースに問い合わせるステップをさらに含む、請求項１に記載の方法。
【請求項４】  データベース問合せに応答して、ダイヤルされた加入者が移植されているかどうかを決定するステップをさらに含む、請求項３に記載の方法。
【請求項５】  ダイヤルされた加入者が移植されていないことに応答して、転送呼インジケータビットを第２の状態に置くステップをさらに含む、請求項４に記載の方法。
【請求項６】  ダイヤルされた加入者が移植されていることに応答して、ダイヤルされた加入者が受信ネットワークに属しているかどうかを決定することさらに含む、請求項４に記載の方法。
【請求項７】  ダイヤルされた加入者が受信ネットワークに属していないことに応答して、転送呼インジケータビットを第２の状態に置くステップをさらに含む、請求項６に記載の方法。
【請求項８】  ダイヤルされた加入者が受信ネットワークに属していることに応答して、呼を引き続き処理するために初期アドレスメッセージを送信するステップをさらに含み、転送呼インジケータビットが第１の状態のままである、請求項６に記載の方法。
【請求項９】  すべてのステップが、通信ネットワークの１つの信号転送ポイントにおいて行われる請求項１に記載の方法。
【請求項１０】  ダイヤルされた加入者が受信ネットワークに属しているかどうかを決定するステップが、
被呼者番号に関連付けられたローカルルーティング番号を検索するステップと、
検索されたローカルルーティング番号をネットワーク専用ルーティング番号のリストと比較するステップとを含み、検索されたローカルルーティング番号もネットワーク専用ルーティング番号のリストにあることに応答して、ダイヤルされた加入者が受信ネットワークに属する、請求項６に記載の方法。
【請求項１１】  ダイヤルされた加入者が受信ネットワークに属しているかどうかを決定するステップが、
被呼者番号に従ってダイヤルされた加入者のレコードにアクセスするステップと、
ダイヤルされた加入者のレコードのサービスプロバイダ識別子を受信ネットワークと比較するステップとを含み、ダイヤルされた加入者が受信ネットワークに属する表示がサービスプロバイダ識別子によって提供されたときに、ダイヤルされた加入者が受信ネットワークに属する、請求項６に記載の方法。
【請求項１２】  ダイヤルされた加入者が受信ネットワークに属しているかどうかを決定するステップが、
被呼者番号に関連付けられた発呼名伝達グローバルタイトル変換エントリにアクセスするステップと、
エントリの宛先ポイントコードフィールドを検索するステップと、
宛先ポイントコードフィールドのネットワーク識別子を受信ネットワークと比較するステップとを含み、ネットワーク識別子が受信ネットワークに対応する値を持っていることに応答して、ダイヤルされた加入者が受信ネットワークに属する、請求項６に記載の方法。
【請求項１３】  呼の強制デフォルトルーティングを行うための通信システムであって、
発信側加入者から受信した被呼者番号に応答して、ダイヤルされた加入者への呼を処理するように動作可能な発信側サービス交換ポイントと、
発信側サービス交換ポイントから初期アドレスメッセージを受信するように動作可能な信号転送ポイントであって、初期アドレスメッセージが被呼者番号および転送呼インジケータビットを含み、信号転送ポイントは、転送呼インジケータビットが第１のまたは第２の状態かを決定するように動作可能であり、第１の状態は、ローカル番号移植性の照会が初期アドレスメッセージに対して行われていないことを示し、信号転送ポイントは、転送呼インジケータビットが第１の状態にあることに応答して、データベース問合せ機能を活動化するかどうかを決定するように動作可能であり、信号転送ポイントは、データベース問合せ機能が活動化されないことに応答して、転送呼インジケータビットを第２の状態に置くように動作可能であり、信号転送ポイントは、ローカル番号移植性の照会を行うことなく被呼者番号に従って呼を引き続き処理するために、初期アドレスメッセージを送信するように動作可能な信号転送ポイントとを備える、呼の強制デフォルトルーティングを行うための通信システム。
【請求項１４】  信号転送ポイントが、転送呼インジケータビットが第２の状態にあることに応答して、呼を引き続き処理するために初期アドレスメッセージを送信するように動作可能な、請求項１３に記載のシステム。
【請求項１５】  データベース問合せ機能が活動化されていることに応答して、被呼者番号を備えるデータベースに問い合わせるように動作可能な信号転送ポイントと結合されたデータベースをさらに備える、請求項１３に記載のシステム。
【請求項１６】  信号転送ポイントが、問合せに応答して、ダイヤルされた加入者が移植されているかどうかを決定するように動作可能であり、信号転送ポイントは、ダイヤルされた加入者が移植されていないことに応答して、転送呼インジケータビットを第２の状態に置く動作が可能である、請求項１５に記載のシステム。
【請求項１７】  信号転送ポイントが、問合せに応答して、ダイヤルされた加入者が移植されているかどうかを決定するように動作可能であり、信号転送ポイントは、ダイヤルされた加入者が移植されているという決定に応答して、ダイヤルされた加入者が受信ネットワークに属しているかどうかを決定するように動作可能であり、信号転送ポイントは、ダイヤルされた加入者が受信ネットワークに属していないことに応答して、転送呼インジケータビットを第２の状態に置く動作が可能である、請求項１５に記載のシステム。
【請求項１８】  信号転送ポイントが、問合せに応答して、ダイヤルされた加入者が移植されているかどうかを決定するように動作可能であり、信号転送ポイントは、ダイヤルされた加入者が移植されているという決定に応答して、ダイヤルされた加入者が受信ネットワークに属しているかどうかを決定するように動作可能であり、信号転送ポイントは、ダイヤルされた加入者が受信ネットワークに属していることに応答して、呼を引き続き処理するために初期アドレスメッセージを送信するように動作可能であり、転送呼インジケータビットが第１の状態のままである、請求項１５に記載のシステム。
【請求項１９】  信号転送ポイントから初期アドレスメッセージを受信するように動作可能であり、初期アドレスメッセージに従って呼を処理するように動作可能な受信サービス交換ポイントをさらに備える、請求項１３に記載のシステム。
【請求項２０】  初期アドレスメッセージに従って呼を完了するために、受信サービス交換ポイントから初期アドレスメッセージを受信するように動作可能な受信信号転送ポイントをさらに備える、請求項１９に記載のシステム。